(57)【要約】【課題】ドレンパンによってドレン水を排水させる際に熱交換効率の低下を小さく抑えることが可能な空気調和装置の室内機を提供する。【解決手段】シール材７は、ドレンパン６の上表面および熱交換器５の下方部分のいずれにも接するように配置され、通水性を有している。ドレンパン６の上表面は、下方上流部分６ｂと、シール材７が接している部分を含んでいる上方下流部分６ａと、を有している。熱交換器５の少なくとも一部は、上方下流部分６ａの上方空間に位置している。ドレンパン６とシール材７が接している部分の長さが上面視の空気流れ方向において長い部分と短い部分と、を有している。【選択図】図１２
2010249466.tif 000002
【特許請求の範囲】
【請求項１】
空気調和装置の室内機（３）であって、
吸込口（２１）および吹出口（２２）を有するケーシング（２０）と、
前記吸込口（２１）から前記吹出口（２２）に向かう空気流れを生じさせるファン（２５）と、
前記ケーシング（２０）内に配置されており、伝熱管（５２）と前記伝熱管が貫通するフィン（５１）とを有している熱交換器（５）と、
前記ケーシング（２０）内であって前記熱交換器（５）の下方を覆うように配置されたドレンパン（６）と、
前記ドレンパン（６）の上表面および前記熱交換器（５）の下方部分のいずれにも接するように配置され、通水性を有する通水部材（７）と、
を備え、
前記ドレンパン（６）の上表面は、下方表面部分（６ｂ）と、前記下方表面部分（６ｂ）よりも上方に位置しており前記通水部材（７）が接している部分を含んでいる上方表面部分（６ａ）と、を有しており、
前記熱交換器（５）の少なくとも一部は、前記ドレンパン（６）の前記上方表面部分（６ａ）の上方空間に位置しており、
前記ドレンパン（６）と前記通水部材（７）とが接している部分の長さが上面視の前記空気流れ方向において第１長さである部分と、前記ドレンパン（６）と前記通水部材（７）とが接している部分の長さが前記上面視の前記空気流れ方向において前記第１長さよりも短い第２長さである部分と、を有している、
空気調和装置の室内機（３）。
【請求項２】
前記熱交換器（５）の下端は、前記ドレンパン（６）の上表面とは接していない、
請求項１に記載の空気調和装置の室内機（３）。
【請求項３】
前記熱交換器（５）の下端部分は全て前記通水部材（７）に接している、
請求項１または２に記載の空気調和装置の室内機（３）。
【請求項４】
前記通水部材（７）と前記ドレンパン（６）との接触部分は、前記空気流れと交差する方向において前記ドレンパン（６）の一端側から他端側まで連続している部分を有している、
請求項１から３のいずれか１項に記載の空気調和装置の室内機（３）。
【請求項５】
前記第２長さは、１０ｍｍ以下である、
請求項１から４のいずれか１項に記載の空気調和装置の室内機（３）。
【請求項６】
前記通水部材（７）の下端部分は、前記上面視において前記第２長さである部分と重なる位置において前記空気流れ方向に延びる切り込み（Ｓ）が設けられた部分を有している、
請求項１から５のいずれか１項に記載の空気調和装置の室内機（３）。
【請求項７】
前記ドレンパン（６）は、前記通水部材（７）に接することなく前記通水部材（７）の下方を介して前記上方表面部分（６ａ）と前記下方表面部分（６ｂ）とを接続するガイド部を有している、
請求項１に記載の空気調和装置の室内機（３）。
【請求項８】
前記ガイド部は、前記上面視において、前記通水部材（７）の前記空気流れ方向の下流側端部よりもさらに下流側まで１０ｍｍ未満だけ延びた部分を有している、
請求項７に記載の空気調和装置の室内機（３）。
【請求項９】
前記熱交換器（５）内を通過する冷媒の蒸発器としてのみ機能する、
請求項７または８に記載の空気調和装置の室内機（３）。
【請求項１０】
前記ドレンパン（６）は、前記上方表面部分と前記下方表面部分との境界近傍において、前記空気流れ方向視断面において、凸部分が前記通水部材（７）と接触している側面視凹凸形状部分を有している、
請求項１から９のいずれか１項に記載の空気調和装置の室内機（３）。
【請求項１１】
前記側面視凹凸形状部分は、前記上面視において、前記ドレンパン（６）の前記上方表面部分側が凹部分であり、前記下方表面部分側が凸部分である、上面視凹凸形状を有している、
請求項１０に記載の空気調和装置の室内機（３）。
【請求項１２】
前記通水部材（７）は、発泡ポリエチレンフォームである、
請求項１から１１のいずれか１項に記載の空気調和装置の室内機（３）。
【請求項１３】
空気調和装置の室内機（３）であって、
吸込口（２１）および吹出口（２２）を有するケーシング（２０）と、
前記吸込口（２１）から前記吹出口（２２）に向かう空気流れを生じさせるファン（２５）と、
前記ケーシング（２０）内に配置されており、伝熱管と前記伝熱管が貫通するフィンとを有している熱交換器（５）と、
前記ケーシング（２０）内であって前記熱交換器（５）の下方を覆うように配置され、上表面において前記熱交換器（５）の下端と接している熱交接触部分（２６２）を有しているドレンパン（６）と、
を備え、
前記ドレンパン（６）の前記上表面は、下方表面部分（６ｂ）と、前記下方表面部分（６ｂ）よりも上方に位置している上方表面部分（６ａ）と、を有しており、
前記熱交換器（５）の少なくとも一部は、前記ドレンパン（６）の前記上方表面部分（６ａ）の上方空間に位置しており、
前記ドレンパン（６）は、前記熱交換器の下端部分よりも低い部分を介して、前記上方表面部分（６ａ）と前記下方表面部分（６ｂ）とを接続するガイド部を有している、
空気調和装置の室内機（３）。
【請求項１４】
空気調和装置の室内機（３）であって、
吸込口（２１）および吹出口（２２）を有するケーシング（２０）と、
前記吸込口（２１）から前記吹出口（２２）に向かう空気流れを生じさせるファン（２５）と、
前記ケーシング（２０）内に配置されており、伝熱管と前記伝熱管が貫通するフィンとを有している熱交換器（５）と、
前記ケーシング（２０）内であって前記熱交換器（５）の下方を覆うように配置されているドレンパン（６）と、
前記ドレンパン（６）の上表面および前記熱交換器（５）の下方部分のいずれにも接するように配置され、通水性を有する通水部材（４０７）と、
を備え、
前記ドレンパン（６）の上表面は、下方表面部分（６ｂ）と、前記下方表面部分（６ｂ）よりも上方に位置しており前記通水部材（４０７）が接している部分を含んでいる上方表面部分（６ａ）と、を有しており、
前記熱交換器（５）の少なくとも一部は、前記ドレンパン（６）の前記上方表面部分（６ａ）の上方空間に位置しており、
前記ドレンパン（６）は、前記通水部材（４０７）の下端部分よりも低い部分を介して、前記上方表面部分（６ａ）と前記下方表面部分（６ｂ）とを接続する第２ガイド部を有している、
空気調和装置の室内機（３）。
【請求項１５】
天井吊り下げ型である、
請求項１から１４のいずれか１項に記載の空気調和装置の室内機（３）。
【発明の詳細な説明】
【技術分野】
【０００１】
本発明は、空気調和装置の室内機に関する。
【背景技術】
【０００２】
例えば、特許文献１（特開２００４−１７７０４８号公報）に記載されているように、熱交換器で生じたドレン水を補水するドレンパンが設けられた空気調和装置の室内機が提案されている。この空気調和装置では、熱交換器に対する通風抵抗となりにくいようにドレンパンを配置させることで、熱交換効率の向上を図っている。
【発明の概要】
【発明が解決しようとする課題】
【０００３】
しかし、上述の空気調和装置の室内機では、ドレンパンがドレン水を補水してから排水されるまでの間に、熱交換器の一部（例えば、フィンや伝熱管）に排水途中のドレン水が触れてしまう場合がある。このように、ドレン水が熱交換器に触れてしまうと、熱交換効率が低下してしまうおそれがある。
【０００４】
本発明の課題は、ドレンパンによってドレン水を排水させる際に熱交換効率の低下を小さく抑えることが可能な空気調和装置の室内機を提供することにある。
【課題を解決するための手段】
【０００５】
第１発明の空気調和装置の室内機は、空気調和装置の室内機であって、ケーシング、ファン、熱交換器、ドレンパン、および、通水部材を備えている。ケーシングは、吸込口および吹出口を有している。ファンは、吸込口から吹出口に向かう空気流れを生じさせる。熱交換器は、ケーシング内に配置されており、伝熱管と伝熱管が貫通するフィンとを有している。ドレンパンは、ケーシング内であって熱交換器の下方を覆うように配置されている。通水部材は、ドレンパンの上表面および熱交換器の下方部分のいずれにも接するように配置され、通水性を有している。ドレンパンの上表面は、下方表面部分と、下方表面部分よりも上方に位置しており通水部材が接している部分を含んでいる上方表面部分と、を有している。熱交換器の少なくとも一部は、ドレンパンの上方表面部分の上方空間に位置している。ドレンパンと通水部材とが接している部分の長さが上面視の空気流れ方向において第１長さである部分と、ドレンパンと通水部材とが接している部分の長さが上面視の空気流れ方向において第１長さよりも短い第２長さである部分と、を有している。なお、第２長さは、ゼロであってもよい。
【０００６】
この空気調和装置の室内機では、熱交換器の外表面において生じるドレン水は、通水部材を介して、ドレンパンの上方表面部分から下方表面部分に排水される。この際に、ドレン水は、ドレンパンと通水部材との接触部分の長さが第１長さである部分と、第１長さよりも短い第２長さである部分との少なくとも２通りのルートを介して排水されうる。ここで、第２長さは、第１長さよりも短いため、第１長さの部分を介して排水されるドレン水の量よりも第２長さの部分を介して排水されるドレン水の量の方が多くなる。これにより、ドレンパンと通水部材との接触部分のすべてが第１長さよりも長くなるように構成されている場合と比較して、第１長さよりも短い第２長さの部分が設けられている構成では、排水効率を上げることができている。したがって、通水部材の高さを超える程ドレン水が溜まってしまうことによりドレン水の一部が熱交換器に接しながら排水されること、を抑制させることができ、熱交換器の熱交換効率の低下を抑制させることができる。そして、このように熱交換効率の低下を抑制させる構成を採用した場合であっても、通水部材は、ドレンパンの一部と熱交換器の一部とのいずれに対しても接しているため、ファンによって形成される空気流れが、熱交換器を介することなく熱交換器の風上側から風下側に流れて行ってしまうことで生じる熱交換効率の低下を抑制させることができている。これにより、熱交換器の熱交換効率の低下を抑制させつつ、ドレン水の排水効率を向上させることができる。
【０００７】
第２発明の空気調和装置の室内機は、第１発明の空気調和装置の室内機において、熱交換器の下端は、ドレンパンの上表面とは接していない。
【０００８】
この空気調和装置の室内機では、ドレンパンの上表面を流れるドレン水が熱交換器に触れにくくなるため、熱交換効率の低下を抑制させることができる。
【０００９】
第３発明の空気調和装置の室内機は、第１発明または第２発明の空気調和装置の室内機において、熱交換器の下端部分は全て通水部材に接している。
【００１０】
この空気調和装置の室内機では、熱交換器自体を通過することなく、熱交換器と通水部材との間を通過して空気が流れることを抑制させることができる。これにより、熱交換効率の低下を抑制させることが可能になる。
【００１１】
第４発明の空気調和装置の室内機は、第１発明から第３発明のいずれかの空気調和装置の室内機において、通水部材とドレンパンとの接触部分は、空気流れと交差する方向においてドレンパンの一端側から他端側まで連続している部分を有している。
【００１２】
この空気調和装置の室内機では、熱交換器自体を通過することなく、ドレンパンと通水部材との間を通過して空気が流れることを抑制させることができる。これにより、熱交換効率の低下を抑制させることが可能になる。
【００１３】
第５発明の空気調和装置の室内機は、第１発明から第４発明のいずれかの空気調和装置の室内機において、第２長さは、１０ｍｍ以下である。
【００１４】
一般に、通水部材を介した排水が促進されない場合には、ドレンパンの上方表面部分の上にドレン水が溜まり、水位が上昇してしまうことがある。このように水位が上昇すると、通水部材を乗り越えてドレン水が排水され、熱交換器にドレン水が触れてしまうことで、熱交換効率を低減させてしまうことがある。
【００１５】
これに対して、この空気調和装置の室内機では、ドレンパンの上方表面部分の上に溜まっているドレン水は、通水部材のうち第２長さの１０ｍｍ未満の部分を通水するだけで、容易にドレンパンの下方表面部分に導かれる。これにより、ドレンパンの上方表面部分の上にドレン水が溜まり込むことを抑制させ、熱交換効率が低減することを抑制させることができる。
【００１６】
第６発明の空気調和装置の室内機は、第１発明から第５発明のいずれかの空気調和装置の室内機において、通水部材の下端部分は、上面視において第２長さである部分と重なる位置において空気流れ方向に延びる切り込みが設けられた部分を有している。
【００１７】
この空気調和装置の室内機では、通水部材とドレンパンとの間を流れる空気流れを抑制させたままで、通水部材のうち第２長さである部分におけるドレン水の通水性をより向上させることができる。
【００１８】
第７発明の空気調和装置の室内機は、第１発明の空気調和装置の室内機において、ドレンパンは、通水部材に接することなく通水部材の下方を介して上方表面部分と下方表面部分とを接続するガイド部を有している。
【００１９】
一般に、ドレンパンの上方表面部分の上に存在するドレン水の排水が促進されない場合には、水位が上昇し、通水部材を乗り越えてドレン水が排水されることがある。このように、通水部分を乗り越えてドレン水が排水されると、熱交換器にドレン水が触れてしまうために、熱交換効率を低減させてしまうことがある。
【００２０】
これに対して、この空気調和装置の室内機では、ガイド部は、通水部材の下方を介して、ドレンパンの上方表面部分の上に存在するドレン水を下方表面部分の方へ導くことができる。これにより、ドレンパンの上方表面部分の上にドレン水が溜まり込むことを抑制させ、熱交換効率が低減することを抑制させることができる。
【００２１】
第８発明の空気調和装置の室内機は、第７発明の空気調和装置の室内機において、ガイド部は、上面視において、通水部材の空気流れ方向の下流側端部よりもさらに下流側まで１０ｍｍ未満だけ延びた部分を有している。
【００２２】
この空気調和装置の室内機では、ドレン水は、通水部材の下方に延びているガイド部を通じて排水させることができる。そして、通水部材とガイド部との隙間が１０ｍｍ未満となっているため、空気調和装置の蒸発器として熱交換器が機能している場合に上方表面部分に溜まる程度の水の量が存在する場合には、通水部材とガイド部との隙間をドレン水で埋めることができる。これにより、熱交換器を通過することなく通水部材とガイド部との間を通過する空気流れを低減させることができ、熱交換効率の低下を抑制させることができる。
【００２３】
第９発明の空気調和装置の室内機は、第７発明または第８発明の空気調和装置の室内機において、前記室内機は、熱交換器内を通過する冷媒の蒸発器としてのみ機能する。
【００２４】
この空気調和装置の室内機では、ガイド部が通水部材の下方を介して上方表面部分から下方表面部分へとドレン水を排水させる場合に、この排水経路が、空気流れの通路になるおそれがある。これに対して、この空気調和装置の室内機の熱交換器は、冷媒の蒸発器としてのみ機能する。このため、運転時には、ドレンパンの上方表面部分の上には、ほぼ常時ドレン水が存在し、排水され続ける。このため、運転時には、ほぼ常時、ドレン水の排水経路をドレン水で埋めることができ、空気流れの通路となりにくい。これにより、ドレン水の排水を促しつつ、空気流れの通過を抑制させて、熱交換効率の低下を抑制させることができる。
【００２５】
第１０発明の空気調和装置の室内機は、第１発明から第９発明のいずれかの空気調和装置の室内機において、ドレンパンは、上方表面部分と下方表面部分との境界近傍において、空気流れ方向視断面において、凸部分が通水部材と接触している側面視凹凸形状部分を有している。
【００２６】
この空気調和装置の室内機では、凸部分が通水部材を支持することができる。そして、ドレンパンに側面視凹凸形状部分を設けるだけで、熱交換効率の低下を小さく抑えつつ、ドレン水を排水させることが可能になる。
【００２７】
第１１発明の空気調和装置の室内機は、第１０発明の空気調和装置の室内機において、側面視凹凸形状部分は、上面視において、ドレンパンの上方表面部分側が凹部分であり、下方表面部分側が凸部分である、上面視凹凸形状を有している。
【００２８】
この空気調和装置の室内機では、凹部を介してドレン水の排水を促すことができる。そして、ドレンパンに上面視凹凸形状部分を設けるだけで、熱交換効率の低下を小さく抑えつつ、ドレン水を排水させることが可能になる。
【００２９】
第１２発明の空気調和装置の室内機は、第１発明から第１１発明のいずれかの空気調和装置の室内機において、通水部材は、発泡ポリエチレンフォームである。
【００３０】
この空気調和装置の室内機では、弾力性のある材料を用いることで、熱交換器を通過しない空気流れをより効果的に抑制させることができる。
【００３１】
第１３発明の空気調和装置の室内機は、空気調和装置の室内機であって、ケーシング、ファン、熱交換器、および、ドレンパンを備えている。ケーシングは、吸込口および吹出口を有している。ファンは、吸込口から吹出口に向かう空気流れを生じさせる。熱交換器は、ケーシング内に配置されており、伝熱管と伝熱管が貫通するフィンとを有している。ドレンパンは、ケーシング内であって熱交換器の下方を覆うように配置され、上表面において熱交換器の下端と接している熱交接触部分を有している。ドレンパンの上表面は、下方表面部分と、下方表面部分よりも上方に位置している上方表面部分と、を有している。熱交換器の少なくとも一部は、ドレンパンの上方表面部分の上方空間に位置している。ドレンパンは、熱交換器の下端部分よりも低い部分を介して、上方表面部分と下方表面部分とを接続するガイド部を有している。
【００３２】
この空気調和装置の室内機では、熱交換器の外表面において生じるドレン水は、通水部材を介して、ドレンパンの上方表面部分から下方表面部分に排水される。この際に、ドレン水は、ガイド部を介して、熱交換器に触れることなく排水される。したがって、ドレン水の一部が熱交換器に接しながら排水されることを抑制させることができ、熱交換器の熱交換効率の低下を抑制させることができる。
【００３３】
第１４発明の空気調和装置の室内機は、空気調和装置の室内機であって、ケーシング、ファン、熱交換器、ドレンパン、および、通水部材を備えている。ケーシングは、吸込口および吹出口を有している。ファンは、吸込口から吹出口に向かう空気流れを生じさせる。熱交換器は、ケーシング内に配置されており、伝熱管と伝熱管が貫通するフィンとを有している。ドレンパンは、ケーシング内であって熱交換器の下方を覆うように配置されている。通水部材は、ドレンパンの上表面および熱交換器の下方部分のいずれにも接するように配置され、通水性を有している。ドレンパンの上表面は、下方表面部分と、下方表面部分よりも上方に位置しており通水部材が接している部分を含んでいる上方表面部分と、を有している。熱交換器の少なくとも一部は、ドレンパンの上方表面部分の上方空間に位置している。ドレンパンは、通水部材の下端部分よりも低い部分を介して、上方表面部分と下方表面部分とを接続する第２ガイド部を有している。
【００３４】
この空気調和装置の室内機は、熱交換器の外表面において生じるドレン水は、ドレンパンの上方表面部分から下方表面部分に排水される。この際に、ドレン水は、第２ガイド部を介して、熱交換器に触れることなく排水される。また、通水部材によって、ドレンパンと熱交換器との間を通過しようとする空気流れを抑制させることができる。したがって、ドレン水の一部が熱交換器に接しながら排水されることを抑制させることができるとともに、熱交換器以外の部分を通過しようとする空気流れを抑制させることができるため、熱交換器の熱交換効率の低下を抑制させることができる。
【００３５】
第１５発明の空気調和装置の室内機は、第１発明から第１４発明のいずれかの空気調和装置の室内機において、前記室内機が天井吊り下げ型である。
【００３６】
この空気調和装置の室内機は、天井吊り下げ型の室内機であっても、熱交換効率の低下を抑制しつつ、ドレン水を排水させることができる。
【発明の効果】
【００３７】
第１発明の空気調和装置の室内機では、熱交換器の熱交換効率の低下を抑制させつつ、ドレン水の排水効率を向上させることができる。
【００３８】
第２発明の空気調和装置の室内機では、熱交換効率の低下を抑制させることができる。
【００３９】
第３発明の空気調和装置の室内機では、熱交換効率の低下を抑制させることが可能になる。
【００４０】
第４発明の空気調和装置の室内機では、熱交換効率の低下を抑制させることが可能になる。
【００４１】
第５発明の空気調和装置の室内機では、熱交換効率が低減することを抑制させることができる。
【００４２】
第６発明の空気調和装置の室内機では、ドレン水の通水性をより向上させることができる。
【００４３】
第７発明の空気調和装置の室内機では、ドレンパンの上方表面部分の上にドレン水が溜まり込むことを抑制させ、熱交換効率が低減することを抑制させることができる。
【００４４】
第８発明の空気調和装置の室内機では、熱交換器を通過することなく通水部材とガイド部との間を通過する空気流れを低減させることができ、熱交換効率の低下を抑制させることができる。
【００４５】
第９発明の空気調和装置の室内機では、ドレン水の排水を促しつつ、空気流れの通過を抑制させて、熱交換効率の低下を抑制させることができる。
【００４６】
第１０発明の空気調和装置の室内機では、ドレンパンに側面視凹凸形状部分を設けるだけで、熱交換効率の低下を小さく抑えつつ、ドレン水を排水させることが可能になる。
【００４７】
第１１発明の空気調和装置の室内機では、ドレンパンに上面視凹凸形状部分を設けるだけで、熱交換効率の低下を小さく抑えつつ、ドレン水を排水させることが可能になる。
【００４８】
第１２発明の空気調和装置の室内機では、熱交換器を通過しない空気流れをより効果的に抑制させることができる。
【００４９】
第１３発明の空気調和装置の室内機では、ドレン水の一部が熱交換器に接しながら排水されることを抑制させることができ、熱交換器の熱交換効率の低下を抑制させることができる。
【００５０】
第１４発明の空気調和装置の室内機では、ドレン水の一部が熱交換器に接しながら排水されることを抑制させることができるとともに、熱交換器以外の部分を通過しようとする空気流れを抑制させることができるため、熱交換器の熱交換効率の低下を抑制させることができる。
【００５１】
第１５発明の空気調和装置の室内機では、天井吊り下げ型の室内機であっても、熱交換効率の低下を抑制しつつ、ドレン水を排水させることができる。
【図面の簡単な説明】
【００５２】
【図１】本発明の一実施形態にかかる空気調和装置の室内機の側面視概略説明図である。
【図２】室内機の側面視概略配置構成図である。
【図３】室内機の上面視概略配置構成図である。
【図４】吹出口側の部分拡大概略構成図である。
【図５】室内機の正面図である。
【図６】室内機の背面図である。
【図７】ファンの詳細構成を示す図である。
【図８】フィルタの平面図である。
【図９】フィルタの断面図である。
【図１０】室内機内部の上面図である。
【図１１】室内機の側面視概略配置図である。
【図１２】側面視におけるシール材近傍についての部分拡大図である。
【図１３】上面視におけるシール材近傍についての部分拡大図である。
【図１４】空気流れ方向上流側から下流側を見た場合のシール材近傍についての部分拡大図である。
【図１５】他の実施形態（Ｂ）におけるシール材を示す空気流れ方向上流側から下流側を見た場合の部分拡大図である。
【図１６】他の実施形態（Ｃ）におけるシール材が設けられていない場合の室内機の側面視概略配置図である。
【図１７】他の実施形態（Ｄ）における室内機の側面視概略配置図である。
【発明を実施するための形態】
【００５３】
＜１＞
＜１−１＞空気調和装置の室内機３の構成
図１は、本発明の一実施形態にかかる空気調和装置の室内機３の側面視概略構成図である。図２は、側面視における室内機３内の配置概略構成図である。図３は、上面視における室内機３内の配置概略構成図である。図４は、室内機３内の空気流れ下流側の部分拡大概略構成図である。図５は、水平フラップ３１が吹出口２２を最も塞いでいる状態の正面図である。図６は、ケーシング２０の背面図である。
【００５４】
空気調和装置の室内機３は、図示しない室外機と冷媒連絡配管を介して接続されており、室内の上方空間の側壁近傍に配置される天井吊り下げ型の室内機であって、ケーシング２０、ファン２５、熱交換器５、ドレンパン６、シール材７、シール材８、水平フラップ３１、垂直フラップ３２、支持部材３３、垂直駆動バー３９、フィルタ９０、および、制御基板７０等を備えている。
【００５５】
図１、および、図２においては、図示において右側が背面側であり、左側が正面側であり、上側が上面側であり、下側が下面側をそれぞれ示している。
【００５６】
ケーシング２０は、下面の背面側近傍において鉛直方向に開口した吸込口２１と、正面側の鉛直方向の略中央近傍からやや下側の位置に設けられ正面視において左右方向に広がった吹出口２２（図５参照等）と、を有している。なお、吸込口２１は、１つだけ設けられている。また、吹出口２２も、１つだけ設けられている。なお、吹出口２２は、正面側に１つだけ設けられており、正面視左右方向が長手方向になっている。ケーシング２０の背面は、図６に示すように、図示の左側端部近傍に設けられた樹脂製の蓋２９Ｃとが設けられている。蓋２９Ｃで塞がれた部分には、下端部分も含めて板厚方向に開いた開口が設けられている。これにより、上述したような液管２８、ガス管２９を用いることなく既設配管を用いる場合において、室内機３の据え付け時に既設配管をケーシング２０の下方から通すことができるようになっている。なお、この背面側には、図示しない板金部材がネジ止めされることで、開口が設けられているにもかかわらず構造的に強固にすることができている。
【００５７】
ファン２５は、ケーシング２０内において吸込口２１から吹出口２２に向かう空気流れを形成させることができ、図３および図７に示すように、軸を共通とする第１シロッコファン２５ａ、第２シロッコファン２５ｂ、第３シロッコファン２５ｃ、および、第４シロッコファン２５ｄと、これらの各シロッコファンに対して回転駆動させるための動力を与えるファンモータ２５Ｍを有している。ファンモータ２５Ｍは、第１シロッコファン２５ａおよび第２シロッコファン２５ｂと、第３シロッコファン２５ｃおよび第４シロッコファン２５ｄと、の間に配置されている。なお、このファン２５は、カップリングを介してファンシャフト２５Ｂを結合させ、両端の軸受で回転自在に支持している。このように、シロッコファンを左右に２つずつ均等に配置させることで、騒音を低減させることができている。
【００５８】
熱交換器５は、板厚方向が正面視左右方向となるように配置された複数の放熱フィン５１と、長手方向が正面視左右方向となるように配置されつつ複数の放熱フィン５１を貫通している複数の伝熱管５２を有している。この熱交換器５では、室外機側から冷媒連絡配管としての液管２８もしくはガス管２９を介して流入する冷媒を通過させた後、ガス管２９もしくは液管２８を介して再び室外機側に冷媒を送ることで、冷凍サイクルの１工程が行われる。この放熱フィン５１は、板厚方向に１．５ｍｍ間隔で複数枚並んで配置されている。放熱フィン５１の板厚は、０．１ｍｍである。なお、本実施形態の空気調和装置の室内機３では、この熱交換器５を冷媒の蒸発器として機能させるだけでなく、冷媒の凝縮器としても機能させることができる。
【００５９】
ドレンパン６は、熱交換器５の下端部分との間に鉛直方向の隙間を確保しつつ、熱交換器５の下方を覆うように配置されており、上表面を構成している空気流れ方向の下流側に配置された上方下流部分６ａと、上方下流部分６ａよりも空気流れ方向上流側であって上方下流部分６ａよりも下方において上表面を構成している下方上流部分６ｂと、を有している。なお、ドレンパン６の上表面には、上方下流部分６ａと下方上流部分６ｂとの境界に設けられた凹凸形状部分６１が設けられている。
【００６０】
シール材７は、熱交換器５の下端部分とドレンパン６の上方下流部分６ａとの間の隙間に配置されており、オプセル等と称される発泡ポリエチレンフォームによって構成されている。この発泡ポリエチレンフォームは、弾力性があり、熱交換器５とドレンパン６との間をきれいに埋めることができる。ただし、この発泡ポリエチレンフォームは、通水性を有しており、ドレン水を吸水しつつ、下流側へ排水させることができる。さらに、この発泡ポリエチレンフォームは、目が細かいために、空気を実質的に通過させない、もしくは、空気流れに対して非常に大きな通風抵抗として機能する。
【００６１】
シール材８は、熱交換器の上端部分とケーシング２０の上面の下方表面部分との間の隙間に配置されており、オプセル等と称される発泡ポリエチレンフォームによって構成されている。
【００６２】
水平フラップ３１は、ケーシング２０の吹出口２２の上方空間を覆うように配置されており、長手方向が正面視において左右方向となるように構成され、回転軸が正面視において左右方向（水平方向）に延びている。この水平フラップ３１は、回転軸３１ｍを回転中心として姿態角度が変更されることで、吹出口２２から吹き出される空気の流れ方向を上下方向に調節することができる。なお、水平フラップ３１は、吹出口２２を概ね閉じた状態であっても、水平フラップ３１と吹出口２２との間に１０ｍｍ以上（ここではおおよそ３ｃｍ）の空気流れ方向の幅を有する隙間が残るようになっている。これにより、冷房運転後の運転停止時に水平フラップ３１が吹出口２２を最も塞ぐ姿態になったとしても、室内機３のケーシング２０内とケーシング２０外との空気の流通を確保し、雑菌の繁殖を抑制させることができる。
【００６３】
垂直フラップ３２は、水平フラップ３１よりも空気流れ方向上流側、すなわち、ケーシング２０の内部側であって、吹出口２２の下端側に配置されており、回転軸３５が正面視において上下方向（鉛直方向）に延びている。この垂直フラップ３２は、回転軸３５を回転中心として姿態角度が変更されることで、吹出口２２から吹き出される空気の流れ方向を左右方向に調節することができる。垂直フラップ３２には、小型垂直フラップ３２ａと、大型垂直フラップ３２ｂと、端部垂直フラップ３２ｃと、がある。このうち、小型垂直フラップ３２ａは、支持部材３３の近くに配置されており、垂直フラップ３２の中で最も小型である。
【００６４】
支持部材３３は、ケーシング２０の吹出口２２の上端から吹出口２２の下端近傍まで延びた後、わずかに上方に向きながら空気流れ方向下流側に向けて延びており、空気流れ方向下流側先端において、回転軸３１ｍを水平フラップ３１と共有することで、水平フラップ３１を回動可能に支持している。水平フラップ３１は、正面視左右方向に長いため、その途中において支持することで、撓みを抑制させることができている。なお、支持部材３３の板厚方向は、吹出口２２の長手方向である水平方向となっており、垂直フラップ３２が傾斜していない姿態においては、垂直フラップ３２の板厚方向と支持部材３３の板厚方向とは同じになっており、空気流れに対する通風抵抗を小さく抑えることができている。
【００６５】
垂直駆動バー３９は、４つの垂直フラップ３２をひとまとめにして、姿態角度を変更させる部材であり、図示しない風向調節機構から駆動力を得て、垂直フラップ３２の姿態角度を変更させる。
【００６６】
フィルタ９０は、ケーシング２０の吸込口２１に取り付けられ、平面図である図８および側面図である図９に示すように、左右両端部に設けられた低厚部分９１と、その間に設けられた高厚部分９２とを有している。このように、フィルタ９０において凹凸高さの異なる部分を設けることで、フィルタ９０の設置位置にちょうど嵌め合わせることができている。なお、フィルタ９０の目を構成するピッチは等間隔となっている。このような構造とすることで、他の周辺部品と接触しない部分では凹凸高さを高くして、通過面積を広くすることができている。
【００６７】
制御基板７０は、上述した冷凍サイクルの制御を行ったり、水平フラップ３１の姿態角度および垂直フラップ３２の姿態角度等の自動調節制御を行う。
【００６８】
＜１−２＞シール材近傍の詳細構成
図１０に、室内機内部の上面図を示す。図１１に、室内機の側面視概略配置図を示す。図１２に、側面視におけるシール材近傍についての部分拡大図を示す。図１３に、上面視におけるシール材近傍についての部分拡大図を示す。図１４に、空気流れ方向上流側から下流側を見た場合のシール材近傍についての部分拡大図を示す。
【００６９】
ドレンパン６は、図１０〜図１４に示すように、上方下流部分６ａと下方上流部分６ｂとの境界に、凹凸形状部分６１を有している。この凹凸形状部分６１は、図１３の上面図に示すように、上方下流部分６ａ側である空気流れ下流側に向けて突出している下流凸部分６４、下方上流部分６ｂ側である空気流れ上流側に向けて窪んでいる上流凹部分６５を有している。上流凹部分６５は、上面視においてシール材７の空気流れ方向上流側端部よりもさらに空気流れ方向上流側に５ｍｍ程延びた部分に配置されている。下流凸部分６４は、シール材７の空気流れ方向下流側端部から空気流れ方向上流側に向けて５ｍｍ程延びた部分（第２長さである部分）に配置されている。シール材７の空気流れ方向の幅は２０ｍｍ（第１長さ）である。
【００７０】
熱交換器５の下端部分は、空気流れ方向において下流凸部分６４とシール材７の空気流れ方向上流側端部との間に配置されている。この熱交換器５は、上端近傍がケーシング２０に対して固定されているため、熱交換器５の下端とドレンパン６の間には鉛直方向の隙間が存在している。シール材７は、この隙間に介在して、熱交換器５をバイパスする空気流れを抑制させることができている。
【００７１】
また凹凸形状部分６１は、図１４の空気流れ方向上流側から下流側を見た図に示すように、上方下流部分６ａ側である上向きに突出している上方凸部分６２、下方上流部分６ｂ側である下向きに窪んでいる下方凹部分６３を有している。下方凹部分６３とシール材７の鉛直方向下端との間には、隙間が設けられている。シール材７は、その鉛直方向下端の部分が上方凸部分６２と、上方下流部分６ａの一部によって支えられている。なお、シール材７の鉛直方向下端部分は、上方凸部分６２の上端部分と、上方下流部分６ａの一部に対して接着されることで固定されている。
【００７２】
＜１−３＞本実施形態の特徴
上記実施形態の空気調和装置の室内機３では、熱交換器５においてドレン水が生じた場合に、ドレンパン６のうち上方下流部分６ａがドレン水を捕らえて、シール材７および凹凸形状部分６１を介して、下方上流部分６ｂ側に排水させていくことができる。
【００７３】
この際、シール材７の鉛直方向上端部分は、熱交換器５の下端部分の全て（左右方向に全て）に接しており、シール材７の鉛直方向下端部分は、ドレンパン６の上方下流部分６ａと左右方向に全て接している部分を有している。このため、ファン２５が駆動することで形成される空気流れは、熱交換器５とドレンパン６との間を通過することなく、熱交換器５をより効率的に通過するため、熱交換効率を向上させることができる。
【００７４】
また、上方下流部分６ａが捕らえたドレン水は、シール材７の空気流れ方向下流側端部から吸水され、下流凸部分６４まで流れた後に、熱交換器５の下端から鉛直方向下方にさらに離れるようにして、下方上流部分６ｂを流れて排水される（図１２、１３、１４の矢視Ｗ１参照）。また、仮に、シール材７の空気流れ方向下流側端部から吸水されたドレン水が、上流凹部分６５まで流れたとしても、上流凹部分６５において熱交換器５の下端から鉛直方向下方にさらに離れるようにして、下方上流部分６ｂを流れて排水される（図１２、１３、１４の矢視Ｗ２参照）。このように、いずれの流れにおいても、ドレン水は、熱交換器５の伝熱管５２に接触することが無い。また、ドレン水が放熱フィン５１に接触する部分は、シール材７と接触している放熱フィン５１の下端部分のみである。したがって、ドレン水が熱交換器５に触れることによる熱交換効率の低下を抑制させることができている。
【００７５】
＜２＞他の実施形態
（Ａ）
上記実施形態では、空気調和装置の室内機３は、天井吊り下げタイプである場合を例に挙げて説明した。
【００７６】
しかし、本発明は上記実施形態の天井吊り下げタイプに限られず、例えば、吹出口の長手方向が鉛直方向である床置き型の空気調和装置の室内機に対して適用してもよい。
【００７７】
（Ｂ）
上記実施形態では、シール材７の下面側について、なんら加工が施されていないような場合を例に挙げて説明した。
【００７８】
しかし、本発明は、これに限られるものではなく、例えば、図１５に示すように、下面にスリットＳが採用されたシール材２０７を用いてもよい。このスリットは、下方凹部分６３の鉛直方向上方に位置する部分に設けられている。このため、シール材７と下方凹部分６３とを介した排水効率をより向上させることができている。
【００７９】
（Ｃ）
上記実施形態では、熱交換器５の下端とドレンパン６との間にシール材７を介在させる場合について例に挙げて説明した。
【００８０】
しかし、本発明は、これに限られるものではなく、例えば、図１６に示すように、シール材が用いられていない空気調和装置の室内機３０３としてもよい。この室内機３０３では、熱交換器５の下端部分がドレンパン６の上方下流部分６ａの空気流れ方向における上流側端部と下方上流部分６ｂの空気流れ方向における下流側端部との間に配置されている。そして、上方下流部分６ａが捕らえたドレン水は、熱交換器５側に向かう前に、下方上流部分６ｂの空気流れ方向下流側端部において熱交換器５から離れるように鉛直方向下方に向けて流れ落ちる（図１６の矢視Ｗ３１参照）。これにより、熱交換器５にドレン水が触れないため、熱交換効率を向上させることができている。
【００８１】
なお、上記空気調和装置の室内機３０３は、熱交換器５を冷媒の蒸発器としてのみ用いる冷房専用装置であってもよい。この場合には、暖房運転が行われないため、運転時には、ほぼ常時ドレンパン６の上方下流部分６ａ上にドレン水が存在することになる。そして、このドレン水が、熱交換器５の下端部分と、下方上流部分６ｂの空気流れ方向下流側端部との間にほぼ常時存在する場合には、熱交換器５とドレンパン６との間を介して熱交換器５がバイパスされる空気流れを抑制させることができる。これにより、熱交換効率を向上させることもできる。
【００８２】
（Ｄ）
上記実施形態では、シール材７の空気流れ方向下流側端部近傍の下端部は全て上方下流部分６ａと接触している場合について例に挙げて説明した。
【００８３】
しかし、本発明は、これに限られるものではなく、例えば、図１７に示すように、シール材４０７の空気流れ方向下流側端部近傍の下端部が、部分的に上方下流部分６ａと接触している形態を採用してもよい。ここで、下方上流部分６ｂの空気流れ方向下流側端部は、熱交換器５の下端よりも空気流れ方向下流側に５〜１０ｍｍ程度延びている。この場合も、上記他の実施形態（Ｃ）と同様に排水を促すことができ（図１７の矢視Ｗ４１参照）、排水効率を向上させることができる。
【産業上の利用可能性】
【００８４】
本発明の空気調和装置の室内機は、特に、ドレンパンによってドレン水を排水させる際に熱交換効率の低下を小さく抑えるために用いた場合に有用である。
【符号の説明】
【００８５】
３  室内機
５  熱交換器
６  ドレンパン
６ａ  上方下流部分（上方表面部分）
６ｂ  下方上流部分（下方表面部分）
７  シール材（通水部材）
２０  ケーシング
２１  吸込口
２２  吹出口
２５  シロッコファン（ファン）
５１  放熱フィン
５２  伝熱管
６１  凹凸形状部分（側面視凹凸形状部分、上方視凹凸形状）
６２  上方凸部分（通水部材に接している凸部分）
６３  下方凹部分（ガイド部）
６４  下流凸部分（下方表面部分側が凸部分）
６５  上流凹部分（上方表面部分側が凹部分）
Ｓ  スリット（切り込み）
【先行技術文献】
【特許文献】
【００８６】
【特許文献１】特開２００４−１７７０４８号公報
【図１】
2010249466.tif 000003
【図２】
2010249466.tif 000004
【図３】
2010249466.tif 000005
【図４】
2010249466.tif 000006
【図５】
2010249466.tif 000007
【図６】
2010249466.tif 000008
【図７】
2010249466.tif 000009
【図８】
2010249466.tif 000010
【図９】
2010249466.tif 000011
【図１０】
2010249466.tif 000012
【図１１】
2010249466.tif 000013
【図１２】
2010249466.tif 000014
【図１３】
2010249466.tif 000015
【図１４】
2010249466.tif 000016
【図１５】
2010249466.tif 000017
【図１６】
2010249466.tif 000018
【図１７】
2010249466.tif 000019